(57)【要約】      （修正有）【課題】豪雪地域の家屋の屋根の過大な積雪を短時間で滑落除雪させる除雪システムを提供する。【解決手段】一般家庭に普及しているガス給湯器の温水を炊事場、風呂桶、或いは、シャワーの給湯栓に接続カップリングを使用して送水管に接続して、屋根の棟部に設けられた散水管に導き、温水を噴射させる。【選択図】図１
0003179520.tif 000002
【実用新案登録請求の範囲】
【請求項１】
一般家屋のガス給湯器の給湯栓（風呂場、洗面場、或いは、炊事場に備えられているもの）に接続カップリングでゴムホースに接続してホースを屋根棟部に誘導して棟部に敷設された一本の散水管に接続せしめて温水を噴射させ積雪を除雪するシステム。
【請求項２】
増圧ポンプを配管に設置して当ガス給湯器より遠距離に在る中小企業の工場、倉庫、或いは、農業用ビニールハウスの屋根に送水管で誘導して棟部に敷設された散水管より温水を噴射させて屋根の積雪を除雪するシステム。
【請求項３】
当塩化ビニル製の散水管に無数のキリ穴（穴経：３φｍｍ〜５φｍｍ）を開けて積雪時に随意にガス給湯器からの温水を当キリ穴より噴射させる装置であり、屋根と積雪の接面部を温水で溶解して雪の自重で雪崩現象を誘発させて積雪を屋根から滑落させることを可能とする。
【請求項４】
通常の水道水圧に於いては三階建ての家屋の屋根の棟部（地上からの高度は約１０ｍ．）に設けられた散水管からの噴射散水には充分な圧力であるが、四階建て以上の建物の屋根の除雪の場合は散水管からの噴水圧力が低下するので送水側の配管に増圧ポンプ（ブースターポンプ）を設置すること、或いは、工場、倉庫、農業用ビ二―ルハウスが当ガス給湯器から遠距離に在る場合は増圧ポンプを送水管に設けることに依り屋根の散水管に充分な噴射圧力を得るための増圧ポンプの設置。
【請求項５】
給湯栓の出口側送水管に散水タイマを設置して任意に給湯時間と給湯間隔を設定する間歇散水自動方式。所謂、無駄な散水を防ぐエコ方式の採用。
【考案の詳細な説明】
【技術分野】
【０００１】本考案は屋根の積雪を屋根の棟部に設けられた散水管から一般家庭用のガス給湯器の温水を屋根の略全面に噴射散水させて積雪を滑落除雪させる為の装置の組合せによる除雪システム。
【従来の技術乃至装置】
【０００２】屋根の除雪、或いは、融雪方式として代表的なものは、ヒータ等の熱源を利用して雪を融かす方式、或いは、井戸ボーリングによる地下水をポンプアップして屋根棟部より散水する方式、及び、雨水を貯水槽に貯留してポンプで屋根棟部に導き散水させて樋を利用して貯水槽に戻す循環方式等がる。  即ち、公開番号  特開２００７−３０９０７６（Ｐ２００７−３０９０７６Ａ）或いは、新築住宅で建物の美観を損なうと云う理由で家屋の新築時に棟部に予め散水管を組み込む構造で、これは散水源は雨水であり貯留による循環水方式、公開番号特開２００１−２４１１５１（Ｐ２００１−２４１１５１Ａ）がある。
【従来の技術乃至装置の問題点】
【０００３】従来技術に於いて融雪の媒体である水は、井戸をボーリングして得る井戸水、或いは、雨水であるが、これ等は低温であるために融雪に至るまでには時間を要して即効性が無い。
一方、井戸の地下水を利用する方式は井戸を持っている住宅には適用できるが、井戸が無い住宅では新規に井戸をボーリングする必要があり経費面で難点があり、又、井戸を掘って地下水に行き当たることが前提条件となる。適用方式として汎用性が小さい。
一方、雨水を貯留してポンプアップして雨樋を通して雨水を循環散水させる方式であるが、豪雪地では雪庇等で雨樋が破壊されているケースが多々見受けられる。従って、この方式は雨樋が使えるということが前提条件となる。又、同じく、雨水は熱量が低く融雪には即効性が無い。循環用貯水槽をヒーター等で暖める方式もあるが持続して保温する必要があり経済的ではない。
【考案の概要】
【問題点の解決条件】
【０００４】第一条件：  システムを構成する装置並びに取付け工事費が廉価でなくてはらないこと。
第二条件：  システムの適用効果に即効性が無くてはならないこと。
【解決手段並びに当システムの概要】
【０００５】この考案は一般家屋に備えられているガス給湯器（都市ガス、ＬＰガス）の温水（３０〜６０℃  以下同じ）を屋根の棟部に取付けられた無数のキリ穴付き塩化ビニル製散水管にホースで誘導して随意に温水を散水して屋根の積雪を人為的に滑落させる装置（散水管、ガス給湯器、増圧ポンプ並びに散水タイマー）の組合せシステム。
【図面の簡単な説明】
【０００６】
【図１】一般家屋の積雪を除雪するシステム概念図
【図２】工場、倉庫、ビニールハウス等の屋根の積雪を除雪するシステム概念図
【図３】給湯栓とホースの接続カップリングの詳細図
【図４】配管展開図（実例図）
【図５】温水噴射による除雪実施例の図
【図６】瓦葺屋根（切妻タイプ）の散水管取付けイメージ図
【図７】瓦葺屋根（寄棟タイプ）の散水管取付けイメージ図
【図８】散水用操作スイッチボックスの概念図
【図９】散水制御用バルブの外観図
【図１０】散水管のキリ穴に関する詳細図
【図１１】散水管の屋根棟部への取付け図（実例図）
【図１２】金属製フレキシブルパイプの外観図並びに取付け図
【図１３】ワイヤーロープによる散水管取付け詳細図
【図１４】藁葺屋根の散水管並びに送水管の取付図
【図１５】藁葺屋根の散水管取付けイメージ図
【図１６】ワイヤーロープに散水管を取付けた実例図
【図１７】増圧ポンプの構造図並びに外観図
【図１８】増圧ポンプ設置概念図
【図１９】散水タイマー外観図並びに取付け図  当システムの概要は添付のシステム概念図〈図１〉及び〈図２〉に示す。［請求項１］一般家屋の除雪システム  当除雪システムは下記符号１〜８に示される機器に依って構成される。符号  １  ガス給湯器  符号  ２  増圧ポンプ  符号  ３  散水管  符号  ４  送水管  符号  ５  散水タイマー  符号  ６  逆流防止弁  符号  ７  給湯栓  符号  ８  ドレーン弁  符号  符号  ２、５  はオプションとして取り付ける。［図１］一般家屋の除雪システムの概念図を示す。概念図には各機器の符号が付されている。（注釈）−１．ガス給湯器は一般家庭用のガス給湯器（給湯号数１６号又は、２４号）を使用する。  除雪面積が狭い場合（１５平方メートル以下）は標準ガス給湯器１６号で足りるが、１５平方メートルを超える場合は同２４号を使用する。（注）号数は標準給湯号数を示す。それぞれ冬場では、１６号が約１０Ｌ／分、２４号が約１６Ｌ／分である。（注釈）−２．送水管は耐熱用のシリコーンゴムホース又は、塩化ビニル管を使用する。配管上、鋭角部にはホースの折れ曲がりを避けるために金属フレキシブルパイプを使用する。（注釈）−３．４階以上の家屋の場合は配管に逆流防止弁を設ける。（注釈）−４．配管には凍結防止用に配管にドレーン弁を設ける。（注釈）−５．４階建て以上の家屋の除雪の場合は増圧ポンプ（仕様後述）を設ける。［請求項２］工場、倉庫、ビールハウス等の屋根の除雪システム  ［図２］中小工場、倉庫、ビニールハウス等の屋根の除雪システム概念図を示す  中小企業の工場、倉庫、或いは、農家のビニールハウス等の屋根の除雪に一般家屋に取り付けられているガス給湯器の温水を利用して除雪を行うシステム。オプションとして、工場、倉庫、或いは、ビニールハウス等が家屋のガス給湯器より遠隔に在る場合は増圧ポンプを配管に設置して増圧して屋根の散水管に圧力水を送る方式。同図に記載の符号説明を下記する。符号  １  ガス給湯器  符号  ２  増圧ポンプ  符号  ３  散水管  符号  ４  送水管  符号  ５  散水タイマー  符号  ６  逆流防止弁  符号  ７  給湯栓  符号  ８  ドレーン弁（注釈）増圧ポンプ（仕様は後述）の定格全揚程は１５ｍ．であるのでポンプの吸込圧力，即ち、ガス給湯器の出口圧力が１．８Ｋｇｆ／ｃｍ２とするとポンプの出口圧力３．３Ｋｇｆ／ｃｍ２となる。仮に、工場、倉庫、或いは、ビニールハウスの屋根の棟部の高さ、即ち、実揚程が５ｍ．とすると増圧ポンプからの横引き配管の全長は下記計算となる。３．３Ｋｇｆ／ｃｍ２−  ０．５Ｋｇｆ／ｃｍ２（実揚程５ｍ．）＝２．８Ｋｇｆ／ｃｍ２  メートル換算で２８ｍ．となり圧送可能な横引き配管の全長計算は：−  ２８ｍ．ｘ１０（定数）  ＝  ２８０ｍ．２８０ｍ．ｘ０．７（抵抗）  ＝  １９６ｍ．となる。増圧ポンプを増設することにより更に、遠距離に温水を送水することが可能である。
【当システムを構成する装置の詳細説明】
【０００７】給湯栓とゴムホースの接続カップリング
［図３］接続カップリングの種類と接続方法を示す
同図に掲載されている図Ａから図Ｅを順を追って説明する。
Ａ図：風呂桶の給湯栓と接続カップリングを接続した図
Ｂ図：シャワー給湯栓に接続カップリングを接続した図
Ｃ図：炊事場の給湯栓に接続カップリングを接続した図
Ｄ図：Ａ図に於ける接続カップリングの詳細図
符号Ｄ１  接続ニップル
符号Ｄ２  ホースコネクター
Ｅ図：Ｂ図及びＣ図に於ける接続カップリングの詳細図
（シャワー給湯栓と炊事場給湯栓が同一の場合を示す）
符号Ｅ１  接続ニップル
符号Ｅ２  ホースコネクター
適宜、ケースバイケースで家庭で使い易い給湯栓を選定して温水の散水に供する。
【０００８】給湯栓より屋根の棟部に設けられた散水管に誘導される送水管（ゴムホース）の敷設方法。
［図４］  送水管敷設に係わる配管展開図
符号（Ａ）図〜（Ｅ）図、並びに、除雪前、符号（Ｆ）図と除雪後、符号（Ｇ）図は実例を示す。
符号の説明
符号（Ａ）図  シャワー給湯栓にゴムホースを接続
符号（Ｂ）図  ゴムホースを窓へ誘導
符号（Ｃ）図  窓外のゴムホースに継ぎ手で接続
符号（Ｄ）図  外壁に沿って屋根の棟部にホースを誘導
符号（Ｅ）図  横引き散水管にゴムホースを接続。配管取付け完了図。
［図５］温水噴射による除雪実施例の図
符号（Ｆ）図  実例図（除雪前）
符号（Ｇ）図  実例図（除雪後）
除雪実例の仕様詳細
屋根除雪面積  ：  約１８Ｍ２
屋根勾配角度  ：  ４５度
積雪          ：  ２０ＣＭ．
散水温度      ：  ４６℃
当該屋根の全面除雪に要した時間  ：  約３分
切妻（きりづま）式屋根と寄棟（よせむね）式屋根散水管取付け方法
一般民家の屋根の形状は概ね二種類に大別される。即ち、切妻（きりづま）式
屋根（二面屋根）と寄棟（よせむね）式屋根（四面屋根）である。切妻式屋根の種類は瓦葺屋根、スレート屋根、藁葺き屋根が在る。
【０００９】切妻式屋根の散水管の取付け方法
［図６］切妻式屋根である瓦葺屋根、又は、スレート屋根の配管図を示す。
屋根棟部のライン（３）は散水管を示し、ライン（４）は温水送水用のゴムホースを示す。
屋根の両面（Ａ面とＢ面）に同時に散水を行い除雪を行う。ライン（３）の散水管は敷設に当たって入水側の勾配を散水管の末端より５度高くして取り付ける。散水管の入水側と末端のキリ穴からの噴射圧力を均等化する為である。
【００１０】［図７］寄棟式屋根（四面屋根）の棟部への散水管の取付図を示す。
屋根各面（Ａ，Ｂ，Ｃ，Ｄ面）の散水は配管に取り付けられた電動ボールバルブ、又は、電磁弁のバルブ操作によって行う。バルブの開閉（ＯＮ−ＯＦＦ）はスイッチボックスに設けられた弁の開閉スイッチを操作することによって行う。これによって随意に散水して各面の除雪を行う。
【００１１】寄棟式屋根の散水用操作スイッチボックス
［図８］寄棟式屋根の散水用操作スイッチボックスの詳細をに示す。
当スイッチボックスは寄棟式屋根の散水をコントロールするバルブの操作用スイッチ並びに、増圧ポンプ用電源スイッチ、及び、安全ブレーカー、主幹漏電遮断器を付属する。
型式は壁掛け式のものである。
同スイッチボックスの符号説明を下記する。
符号  ▲１▼  〜  ▲５▼  電動ボールバルブ（又は、電磁弁）用開閉スイッチ
▲６▼  増圧ポンプ電源スイッチ
符号  Ｒ１〜Ｒ６  赤色点灯ランプ
赤色点灯ランプ（Ｒ１〜Ｒ５）はバルブ「開」で点灯し、バルブ「閉」で消灯。
（Ｒ６）は増圧ポンプ運転時に点灯し、運転停止時に消灯。
【００１２】寄棟式屋根のバルブの操作方法。    〈図７〉参照。
１．Ａ面及びＢ面の除雪作業を行う場合
バルブＥ１  ：  開
バルブＥ２，Ｅ３，Ｅ４，Ｅ５：  閉
２．Ｃ面の除雪作業を行う場合
バルブＥ２、Ｅ４  ：  開（一定時間後、Ｅ４を閉）
バルブＥ１、Ｅ３，Ｅ５  ：  閉
３．Ｄ面の除雪作業を行う場合
バルブＥ３、Ｅ５  ：  開（一定時間後、Ｅ５を閉）
バルブＥ１、Ｅ２、Ｅ４  ：  閉
［図９］寄棟式屋根の散水制御用のバルブの外観図
【００１３】適用バルブ仕様  ：
弁口径（呼び径）  ：  ２０Ａ
継ぎ手形状        ：  Ｒｃねじ込みリデュースドタイプ
適用流体          ：  水、温水
流体温度          ：  ５  〜  ６０℃
適用水圧          ：  ０  〜  １．０ＭＰａ（≒１０Ｋｇｆ／ｃｍ２）
定格電圧          ：  ＡＣ１００／ＡＣ１１０，５０ＨＺ，６０ＨＺ共用
材質              ：  要部  ステンレス（ＳＵＳ）
作動              ：  通電  開、  非通電  閉
使用条件          ：  耐水屋外用
バルブは電動式ボールバルブ、又は、電磁弁の何れかを適用する。バルブ操作は、電通（ＯＮ）で‘開’、非電通（ＯＦＦ）で‘閉’の２方式とする。  同バルブの制御用電気配線は送水管に結束バンドで固定してスイッチボックスに配線する。
［請求項３］塩化ビニル製散水管の詳細図
【００１４】［図１０］散水管の仕様詳細を示す。
散水管の仕様  ：―
散水管の材質  ：  硬質塩化ビニル管（ＶＰ）
使用塩ビ管    ：  ＶＰ１６（呼び径  １６ｍｍ．）外径  ２２ｍｍ．
散水管（１）には図示の通り無数のキリ穴を設ける。キリ穴（１Ａ）は散水管の外周上に１２０度間隔で開ける。
キリ穴の大きさ（サイズ）は除雪面積に従い下記とする。
キリ穴サイズ
除雪面積  （２０ｍ２    未満）  ：  ３φｍｍ．
除雪面積  （２０ｍ２    以上）  ：  ５φｍｍ．
【００１５】［図１１］散水管の屋根の棟部への取付図（実例図）
同図には散水管が棟部へ取り付けられている実例と取付け部品を符号を付けて図示している。散水管（３）を取り付けるサドルバンド（３ａ）は耐水性強力接着剤を使用して取り付ける。
棟部のサドルバンドの取付けに際し、キリ穴を空けて取付ける方式は棟部を傷つけ雨水浸水により腐食を招くため避けなければならない。散水管をサドルバンドに挿入取り付け後は、ワイヤーでサドルバンド、又は、棟部に固定する。継ぎ手エルボー（３ｂ）は散水管と立上がり配管の接続用直角エルボーを示す。短管（３ｃ）エルボーと立上がり配管（ゴムホース）の接続に供する。符号（３ｄ）は同短管とゴムホース（４）用ワイヤーバンドを示す。
【００１６】［図１２］金属製フレキシブルパイプの外観図並びに取付け図を示す。
同Ａ図  配管で鋭角部位に於いてホースの折れ曲がりが生じる場合がある。此れを避けるために金属製フレキシブルパイプを使用する。符号（１４）は同パイプを示す。
同Ｂ図  同パイプは散水タイマーを使用する場合に於いて給湯栓と同タイマーの接続パイプとして使用する。耐圧上この接続パイプにはゴムホースの使用は避けなければならない。
符号（５）は散水タイマーを示す。
【００１７】藁葺き屋根の散水管の取付け方法（散水管をワイヤーロープに取付ける方式）
［図１３］ワイヤーロープによる藁葺き屋根の散水管の取付け詳細図を示する。
同図に於ける〈Ａ図〉の説明
配管取付け用付属品には符号を付して符号番号順に説明する。
藁葺き屋根には棟部に散水管用金属製サドルバンドの直接取付けが不可能である。従って、図示の通りに棟部の左右にワイヤロープ用固定枠（９）を設ける。同固定枠にワイヤロープ（１０）を取り付ける。散水管（３）をワイヤーロープに吊り下げる。
符号（４）は送水管（ゴムホース）を示す。
同図に於ける〈Ｂ図〉の説明（※部位の詳細図）
ワイヤーロープ使用に於ける散水管の取付け詳細図を示す。
散水管（３）はワイヤーバンド（１３）並びに、二つ割りの金属製の‘Ｏ’リング（１１）を使用してワイヤーロープに取り付ける方式である。
同図に於ける〈Ｃ図〉の説明
ワイヤーロープには弛みが生じないようにロープ締め付け用のターンバックル（１２）を使用する。符号（４）は立上がり送水管（ゴムホース）を示す。
［図１４］藁葺屋根の散水管並びに送水管の取付図
藁葺屋根の散水管並びに送水管取付け方法を側面図、立面図、並びに平面図に分けて示す。
掲載符号番号は〈図１３〉同じ。
［図１５］藁葺屋根の散水管並びに送水管の取付けイメージ図を示す。
掲載符号番号は〈図１３〉同じ。
［図１６］散水管のワイヤーロープ使用に於ける実例図を示す。
同図は、散水除雪中の実例を示す。符号（３）は散水管、符号（１０）はワイヤーロープ、符号（１１）は“Ｏ”リングを示す。
［請求項４］増圧ポンプ（ブースターポンプ）の取付け
【００１８】増圧ポンプは四階建て以上の家屋の場合、或いは、水道水の出口圧力が２Ｋｇｆ／ｃｍ２未満で低い場合に同ポンプを送水管路に設けて散水管よりの噴射圧力の不足を補うものである。
［図１７］増圧ポンプの概略外形、仕様を示す。
ポンプ型式はキャンド式シールレスポンプとし、定格全揚程は１５ｍ．とする。ポンプユニットの質量は略４Ｋｇで軽量コンパクトとする。尚、増圧ポンプの出口配管には逆流防止弁を設けて、更に、配管内の凍結防止に運転停止時に管内排水用のドレン弁を設ける。
ポンプ仕様：−
ポンプ型式  ：  キャンド式シールレスポンプ
ポンプ定格  ：  全揚程    １５ｍ．            １２ｍ．
↓                    ↓
揚水量    １２Ｌ／ｍｉｎ．    ２０Ｌ／ｍｉｎ．
（ポンプ吸込み圧  ＋  １ｍ．の時）
ポンプ口径  ：  吸込／吐出  ２０φｍｍ．（メス内ネジＲＣ３／４）
液質        ：  温水、０℃  〜  ６０℃
制御方式    ：  インバーター方式  （吐出圧力一定給水）
設置場所    ：  屋外、周囲温度  −１０℃〜４０℃
吸込条件    ：  押込み専用  ０．１〜  ５Ｋｇｆ／ｃｍ２
ポンプ満水検知器により満水を検知の上、
ポンプ運転スタート（本条件を運転シーケンスに組み込む）
ポンプ材質  ：
ケーシング、インペラー  ：  耐熱樹脂系（ＰＰＳ）
主軸                    ：  アルミナセラミックス
ポンプウニット付属品
：  添付図〈図１７〉のポンプ構造図に表示されている、カバー（樹脂）                  、アキュムレーター、他一式を付属する。
ポンプ駆動モーター  ：  直流ブラシレスモーター（ＤＣＢＬ）
電源  ：  単相  １００Ｖ    ５０／６０Ｈｚ
出力  ：  １５０  Ｗ
保護方法  ：  電子サーマル、瞬時過電硫保護
（注）ポンプは小型軽量ユニットとする
概略寸法  ：  ２２０（Ｗ）ｘ２３０（Ｈ）ｘ１３０（Ｌ）
質量  ：  約４Ｋｇ
【００１９】増圧ポンプの設置
［図１８］増圧ポンプの設置概念図を示す。同図の符号は〈図１〉に同じ。
上記の通り、散水管よりの散水圧力の低下を避けることを目的としてこの増圧ポンプを設けるものである。
通常、ポンプの出口圧力を決める場合は、ポンプの吸込圧がゼロの場合、ポンプの吐出側の揚程（実揚程）プラス配管ロスを合算して決定する。水道水圧が２Ｋｇｆ／ｃｍ２の場合、ガス給湯器内の配管ロスを１０％とすると給湯栓の出口圧は、１．８Ｋｇｆ／ｃｍ２となり増圧ポンプの全揚程は１５ｍ．（１．５Ｋｇｆ／ｃｍ２）を加算すると同ポンプの出口圧力は３．３Ｋｇｆ／ｃｍ２となる。従って、理論上は地上３３ｍ．まで揚水が可能の計算となる。
仮に、家屋の高さが２０ｍ．の屋根の棟部に散水する場合、最長何ｍ．まで散水管の横引きが可能かの計算は下記となる。  即ち、
全揚程３３ｍ．−  ２６ｍ．（配管抵抗分２０ｍ．ｘ０．３＝６ｍ．加算）＝７ｍ．
７ｍ．ｘ  １０（横引き定数）＝  ７０ｍ．
７０ｍ．ｘ０．７（配管抵抗）＝  ４９ｍ．
従って、配管の横引きは４９ｍ．まで可能となる。
しかし、散水管は横引きの途中で噴射散水して圧力が低下するので実際は約半分の２５ｍ．が散水可能な範囲である。
［請求項５］送水管に散水タイマーを取付けてエコ運転を行う。
【００２０】散水タイマーで散水時間と散水時間の間隔を設定して任意に繰り返して散水を行う方式である。例えば、５分間の散水時間を１時間間隔に行うことが可能である。散水時間は最小１分間で最大は１２０分間である。又、散水間隔は最小１時間で最大１週間である。事前の任意の設定により夜間の散水が行えるので非常に有用性がある。間歇散水出来るのでエコ方式である。一方、「入」、「閉」のスイッチ操作により任意に散水を開始したり散水を停止することも出来る。
商店街路に面した家屋の屋根の積雪を一度に多量に落雪させるのは交通上障害となる。当該タイマー方式により徐々に少量ずつ除雪すれば、この障害に対して有効である。
［図１９］散水タイマーの外形、並びに、詳細を示す。
符号（５）散水タイマー、符号（１４）金属フレキシブルパイプ
散水タイマー仕様  ：−
使用最高水圧：  ８０ｂａｒ（１２０ｐｓｉ）
使用最高水温：  ６０℃      操作電源：  単三電池、２本
（注）本散水タイマーは市販されている。
【当該システム開発の背景】
【００２１】雪国の過疎地で屋根の積雪を除雪するに伴い高齢者が転落して死亡する事故、或いは、不意の屋根からの落雪による幼児の圧死事故が毎年、数十件発生している。因みに、ＮＨＫ等のテレビ報道番組によると、２３年度（１月１８日現在）雪害による死亡事故４１人中、１６人が屋根の除雪中の転落死である。又、２４年度（２月現在）は消防庁調べによると雪害による死亡者数は８３人で内５７人が高齢者でこの７割以上が殆ど屋根等の除雪中と報道されている。
これ等の死亡事故を無くす解決手段として、現在、開発済みの除雪、或いは、融雪技術は、電熱利用，輻射熱利用、ボイラ温風利用、太陽熱利用、井戸ボーリング掘削による地下水利用、或いは、化学的融雪等々多種多様であるが、何れも設置が煩雑で又、費用が高価であるため、或いは、実用面に於いて即効性が無いために雪国の過疎地には中々  普及して居ないのが実情である。
発明された当該除雪システムは一般家屋に普及して居るガス給湯器（都市ガス又は、ＬＰガス）を流用するため、設備費が非常に安価で有ること、又、高温の温水を屋根の棟部より噴射せしめるので屋根の積雪を迅速に除雪することが可能である、即ち、即効性があること。屋根の除雪の命題であるこの二大条件を全うしたものが当該除雪システムである。
【００２２】当該除雪システムは屋根の過大な積雪を完全に１００％除雪することを開発目的したものではない。屋根の積雪を７５％乃至９０％除雪することを目的とした除雪システムである。
当該除雪システムは屋根の過大な積雪の荷重による家屋の倒壊を防ぐことを目的とし、又、不意の過大な屋根からの落雪による人身事故を防ぐことを目的としたものである。
【図１】
0003179520.tif 000003
【図２】
0003179520.tif 000004
【図３】
0003179520.tif 000005
【図４】
0003179520.tif 000006
【図５】
0003179520.tif 000007
【図６】
0003179520.tif 000008
【図７】
0003179520.tif 000009
【図８】
0003179520.tif 000010
【図９】
0003179520.tif 000011
【図１０】
0003179520.tif 000012
【図１１】
0003179520.tif 000013
【図１２】
0003179520.tif 000014
【図１３】
0003179520.tif 000015
【図１４】
0003179520.tif 000016
【図１５】
0003179520.tif 000017
【図１６】
0003179520.tif 000018
【図１７】
0003179520.tif 000019
【図１８】
0003179520.tif 000020
【図１９】
0003179520.tif 000021
【手続補正書】
【提出日】平成24年8月23日(2012.8.23)
【手続補正１】
【補正対象書類名】実用新案登録請求の範囲
【補正対象項目名】全文
【補正方法】変更
【補正の内容】
【実用新案登録請求の範囲】
【請求項１】
一般家屋のガス給湯器の給湯栓（風呂場、洗面場、或いは、炊事場に備えられているもの）に接続カップリングでゴムホースに接続してホースを屋根棟部に誘導して棟部に敷設された一本の散水管に接続せしめて温水を噴射させ積雪を除雪するシステム。
【請求項２】
増圧ポンプを配管に設置して前記ガス給湯器より遠距離に在る中小企業の工場、倉庫、或いは、農業用ビニールハウスの屋根に送水管で誘導して棟部に敷設された散水管より温水を噴射させて屋根の積雪を除雪する請求項１に記載のシステム。
【請求項３】
前記散水管を塩化ビニル製とし散水管に無数のキリ穴（穴経：３φｍｍ〜５φｍｍ）を開けて積雪時に随意に前記ガス給湯器からの温水を当キリ穴より噴射させる装置であり、屋根と積雪の接面部を温水で溶解して雪の自重で雪崩現象を誘発させて積雪を屋根から滑落させることを可能とする請求項１または２に記載のシステム。
【請求項４】
家屋の屋根の棟部が高所に在り前記散水管からの噴射散水が充分でない場合は送水側の配管に増圧ポンプ（ブースターポンプ）を設置し、または、工場、倉庫、農業用ビニールハウスが前記ガス給湯器から遠距離に在り配管抵抗により送水圧力が低下する場合は屋根の散水管に充分な噴射圧力を得るために当該送水管に増圧ポンプを設置した請求項１乃至３の何れかに記載のシステム。
【請求項５】
給湯栓の出口側送水管に散水タイマを設置して任意に給湯時間と給湯間隔を設定する間歇散水方式とした請求項１乃至４の何れかに記載のシステム。